(57)【特許請求の範囲】
【請求項１】
錠ケースと、この錠ケース内に回転自在に組み込まれ錠ケースの前面側に鍵孔を開口させ後端部を錠ケースの後端面から突出させるロータと、錠ケース内に組み込まれ鍵孔に挿入される鍵によってロータの錠ケースに対する拘束を解除してロータの回転操作を可能とするタンブラ機構とを具備するシリンダ錠と、
前記シリンダ錠の後部に固定され、前記ロータに連動する回転駆動部材を具備する支持部材と、
前記支持部材の後部に、前後方向に積層して結合される複数のスイッチボックス組立体と、を具備し
前記スイッチボックス組立体は、それぞれケーシングと、いずれもこのケーシング内に設けられるマイクロスイッチと、当該マイクロスイッチのアクチュエータを駆動するスイッチ操作機構と、当該スイッチ操作機構相互間に前記回転駆動部材の回転を伝える回転伝動部材とを具備し、
複数の前記スイッチボックス組立体の各マイクロスイッチのアクチュエータが、前記シリンダ錠に適合する鍵による前記ロータの回転に連動して駆動されるキースイッチ装置であって、
前記支持部材は、前記錠ケースの後端面に固定され、後方へ開放する受け凹部を有する支持枠を具備し、
前記回転駆動部材は、前記支持枠の受け凹部内に配置され、隣接する前記スイッチボックス組立体の回転伝動部材に嵌合する嵌合部を後部に具備し、
前記回転伝動部材は、前部嵌合部と、後部嵌合部とを具備し、前部嵌合部は、前方に隣接する前記回転駆動部材の嵌合部又は前方に隣接する他の前記スイッチボックス組立体の回転伝動部材に前後方向に嵌合し、後部嵌合部は、後方に隣接する他のスイッチボックス組立体の回転伝動部材の前部嵌合部に前後方向に嵌合するように設けられ、
前記スイッチボックス組立体のケーシングは、前記支持枠の後端面又は前方に隣接する他のスイッチボックス組立体のケーシングの後端面に接合固定され、前記回転伝動部材の前部嵌合部を前記回転駆動部材又は前方に隣接する他のスイッチボックス組立体の回転伝動部材に嵌合できるように前方向に露出させる前方開口部と、後部嵌合部を後方に隣接する他のスイッチボックス組立体の回転伝動部材に嵌合できるように後方向に露出させる後方開口部とを具備し、
前記スイッチ操作機構は、前記マイクロスイッチのアクチュエータに隣接し当該アクチュエータを押圧する押圧位置とこれを復元させる解放位置との間を移動自在に前記ケーシング内に設けられる操作磁石と、前記回転伝動部材に保持され当該回転伝動部材が所定の回転角度位置にあるとき操作磁石を磁気反発力で押圧位置へ移動させる駆動磁石とを具備し、
前記回転伝動部材は、９０°毎の４つの回転角度位置に形成され選択的に前記駆動磁石を保持する磁石保持部を具備することを特徴とするキースイッチ装置。
【請求項２】
前記支持部材の支持枠は、前記シリンダ錠のロータの後端部を受け入れる開口部を有し前記錠ケースの後端面に接合される前壁と、この前壁の周縁から後方へ直角に起立する側壁と、前壁と側壁とにより画成される前記受け凹部とを具備し、
回転駆動部材は、前記支持枠内に受け入れられる前記ロータの後端部に相対回転不能に前後方向に嵌合するように前部に形成される前部嵌合凹部と、後方に固定される前記スイッチボックス組立体の回転伝動部材の前部嵌合部に相対回転不能に前後方向に嵌合するように後部に形成される後部嵌合部とを具備し、
前記スイッチボックス組立体のケーシングは、ケーシング本体と、その後部に固定される蓋体とを具備し、
前記ケーシング本体は、前記前部嵌合部を前方へ露出させつつ前記回転伝動部材を軸周り回転自在に保持する前記前方開口部を有し前方に配置される前記支持枠の後端面又は前方に配置される他のスイッチボックス組立体の後端面に接合される前壁と、この前壁の周縁から後方へ直角に起立する側壁と、前壁と側壁とにより画成される収容凹部とを具備し、
前記蓋体は、前記後部嵌合部を後方へ露出させつつ前記回転伝動部材を軸周り回転自在に保持する前記後方開口部を有し、
前記回転伝動部材は、前記前部嵌合部を有する前方部材と、前記後部嵌合部を有し前方部材に分離可能に結合される後方部材と、前方部材と後方部材との間に形成される前記磁石保持部とを具備することを特徴とする請求項１に記載のキースイッチ装置。
【請求項３】
前記ケーシングの収容凹部内には、前記回転伝動部材と前記マイクロスイッチのアクチュエータとの間に位置して磁石支持部材が固定され、
前記磁石支持部材は、前記ケーシングの前壁に係合する前部係合部と、後壁に係合する後部係合部と、前記回転伝動部材側と前記マイクロスイッチのアクチュエータ側との間に貫通して前記操作磁石を押圧位置と解放位置との間で移動自在に内部に保持する保持孔とを具備し、
前記ケーシングの前壁は、前記磁石支持部材の前部係合部に係合する係合開口を具備し、
前記ケーシングの後壁は、前記磁石支持部材の後部係合部に係合する係合開口を具備することを特徴とする請求項２に記載のキースイッチ装置。
【発明の詳細な説明】
【技術分野】
【０００１】
本発明は、産業用機器の運転管理等に使用される、シリンダ錠とマイクロスイッチの組み合わせより成るキースイッチ装置に関するものである。
【背景技術】
【０００２】
従来、鍵をロータに挿入してシリンダ錠本体を軸方向に押し込んでから特定方向に回す操作モードと、鍵をロータ７に挿入して、そのまま押込まずに特定方向と反対方向に回す操作モードという２つの操作モードを有するキースイッチ装置が提案されている(例えば特許文献１参照)。このキースイッチ装置は、各操作モードによって第１マイクロスイッチ、第２マイクロスイッチおよび第３マイクロスイッチのような複数のマイクロスイッチを選択的にオン又はオフ操作することができ、キースイッチ装置の適用形態の多様性が得られるものである。
【先行技術文献】
【特許文献】
【０００３】
【特許文献１】特開２０００−１７３４０８号公報
【発明の概要】
【発明が解決しようとする課題】
【０００４】
上記従来のキースイッチ装置は、シリンダ錠本体を軸方向に押し込む操作を含めることにより、複数のマイクロスイッチを選択的にオン又はオフ操作するものであるが、シリンダ錠本体を軸方向に移動自在に支持する機構を組み込むことは、設置場所の条件によって困難である場合が多い。したがって、本発明は、鍵をシリンダ錠のロータに挿入して、そのまま回す操作により、複数のマイクロスイッチを選択的にオン又はオフ操作できるキースイッチ装置を提供することを目的としている。
【課題を解決するための手段】
【０００５】
以下、添付図面の符号を参照して説明するが、本発明はこれに限定されるものではない。
上記課題を解決するための、本発明のキースイッチ装置１は、シリンダ錠２と、その後部に固定される支持部材３と、その後部に、前後方向に積層して結合される複数のスイッチボックス組立体４とを具備する。
シリンダ錠２は、錠ケース５と、この錠ケース５内に回転自在に組み込まれ錠ケース５の前面側に鍵孔６ａを開口させ、後端部を錠ケース５の後端面から突出させるロータ６と、錠ケース５内に組み込まれ鍵孔６ａに挿入される鍵によってロータ６の錠ケース５に対する拘束を解除してロータ６の回転操作を可能とする図示しないタンブラ機構とを具備する。
支持部材３は、シリンダ錠２の後部に固定され、ロータ６に連動する回転駆動部材９を具備する。
スイッチボックス組立体４は、それぞれケーシング１７と、いずれもこのケーシング１７内に設けられるマイクロスイッチ１８と、当該マイクロスイッチ１８のアクチュエータ１９を駆動するスイッチ操作機構２０と、当該スイッチ操作機構２０の相互間に回転駆動部材９の回転を伝える回転伝動部材２１とを具備する。
スイッチボックス組立体４の各マイクロスイッチ１８のアクチュエータ１９は、シリンダ錠２に適合する鍵によるロータ６の回転に連動して選択的に駆動される。
支持部材３は、錠ケース５の後端面に固定され、後方へ開放する受け凹部１２を有する支持枠８を具備する。
回転駆動部材９は、支持枠８の受け凹部１２内に配置され、後方に隣接するスイッチボックス組立体４の回転伝動部材２１に嵌合する嵌合部１５を後部に具備する。
回転伝動部材２１は、前部嵌合部４３と、後部嵌合部４５とを具備する。前部嵌合部４３は、前方に隣接する回転駆動部材２１の嵌合部１５又は前方に隣接する他のスイッチボックス組立体４の回転伝動部材２１の後部嵌合部４５に前後方向に嵌合する。後部嵌合部４５は、後方に隣接する他のスイッチボックス組立体４の回転伝動部材２１の前部嵌合部４３に前後方向に嵌合する。
スイッチボックス組立体４のケーシング１７は、支持枠８の後端面又は前方に隣接する他のスイッチボックス組立体４のケーシング１７の後端面に接合固定され、前方開口部２７と後方開口部３１とを具備する。前方開口部２７は、回転伝動部材２１の前部嵌合部４３を回転駆動部材９又は前方に隣接する他のスイッチボックス組立体４の回転伝動部材２１の後部嵌合部４５に嵌合できるように、前方向に露出させる。後方開口部３１は、回転伝動部材２１の後部嵌合部４５を後方に隣接する他のスイッチボックス組立体４の回転伝動部材２１の前部嵌合部４３に嵌合できるように、後方向に露出させる。
スイッチ操作機構２０は、操作磁石３３と駆動磁石３４とを具備する。操作磁石３３は、マイクロスイッチ１８のアクチュエータ１９に隣接し、アクチュエータ１９を押圧する押圧位置と、これを自動復元させる解放位置との間を移動自在にケーシング１７内に設けられる。駆動磁石３４は、回転伝動部材２１に保持され、回転伝動部材２１が所定の回転角度位置にあるとき、操作磁石３３を磁気反発力で押圧位置へ移動させる。回転伝動部材２１は、駆動磁石３４を保持する磁石保持部４６を具備する。磁石保持部４６は、９０°毎の４つの回転角度位置に形成され、選択的に駆動磁石３４を保持する。駆動磁石３４が操作磁石３３と対面したとき、操作磁石３３が押圧位置へ移動してアクチュエータ１９を押圧する。スイッチボックス組立体４毎に、駆動磁石３４の保持位置を変更することにより、複数のマイクロスイッチ１８を選択的にオン又はオフ操作することができる。
【発明の効果】
【０００６】
本発明のキースイッチ装置１は、スイッチボックス組立体４毎に、駆動磁石３４の保持位置を変更することにより、複数のマイクロスイッチ１８を選択的にオン又はオフ操作することができる。所望数のスイッチボックス組立体４を容易に積層して接続し、連動させることができる。
【図面の簡単な説明】
【０００７】
【図１】本発明に係るキースイッチ装置の分解斜視図である。
【図２】図１のキースイッチ装置の正面図である。
【図３】図１のキースイッチ装置の背面図である。
【図４】図１のキースイッチ装置の一部を切断した側面図である。
【図５】図２のＶ−Ｖ断面図である。
【図６】図４のＶＩ−ＶＩ断面図である。
【図７】図５のＶＩＩ−ＶＩＩ断面図である。
【発明を実施するための形態】
【０００８】
図面を参照して本発明の実施の形態を説明する。
図１において、キースイッチ装置１は、シリンダ錠２と、その後部に固定される支持部材３と、その後部に、前後方向に積層して結合される複数のスイッチボックス組立体４とを具備する。
【０００９】
シリンダ錠２は、概略直方体状の錠ケース５と、この錠ケース５内に回転自在に組み込まれるロータ６と、錠ケース５内に組み込まれる図示しないタンブラ機構とを具備する。ロータ６は、図２に示すように、錠ケース５の前面側に鍵孔６ａを開口させ、図１，５に示すように、後端の角軸部６ｂを錠ケース５の後端面から突出させように設けられる。タンブラ機構は、ロータ６の鍵孔６ａに挿入される鍵によって、ロータ６の錠ケース５に対する拘束を解除してロータ６の回転操作を可能とする。
【００１０】
支持部材３は、錠ケース５の後端面に、ストッパ兼用のねじ７で固定される支持枠８と、支持枠８内に設けられる回転駆動部材９とを具備する。
【００１１】
支持枠８は、シリンダ錠２の後端面に接合される概略矩形の前壁１０と、この前壁１０の周縁から後方へ直角に起立する側壁１１と、両壁１０，１１により画成される受け凹部１２とを具備する。前壁１０には、ロータ６の後端部を軸周り回転自在に受け入れる開口部１３が形成される。
【００１２】
回転駆動部材９は、中心が回転軸線上にある前部嵌合凹部１４と後部嵌合凹部１５と、半径方向外側に延びる一対の翼部１６とを具備する。前部嵌合凹部１４は、ロータ６の角軸部６ｂに相対回転不能に前後方向に嵌合するように、前方に開放した断面矩形状である。後部嵌合凹部１５は、後方に開放した断面矩形状である。したがって、回転駆動部材９は、ロータ６と一体に回転する。図６に示すように、回転駆動部材９の回転角度範囲は、翼部１６がストッパ兼用ねじ７に当接することにより規制される。
【００１３】
スイッチボックス組立体４は、それぞれケーシング１７と、いずれもこのケーシング１７内に設けられるマイクロスイッチ１８と、当該マイクロスイッチ１８のアクチュエータ１９を駆動するスイッチ操作機構２０と、当該スイッチ操作機構２０を駆動する回転伝動部材２１とを具備する。スイッチボックス組立体４は、最前列のもの４ａが支持枠８の後方に固定され、次列以降のもの４ｂ、４ｃ・・・は、それぞれ前方の他のスイッチボックス組立体４の後方に固定される。スイッチボックス組立体４の回転伝動部材２１は、前後方向に相互に結合される。
【００１４】
ケーシング１７は、ケーシング本体２２と、その後部に固定される蓋体２３とを具備する。
【００１５】
ケーシング本体２２は、概略矩形の前壁２４と、この前壁２４の周縁から後方へ直角に起立する側壁２５と、両壁２４，２５により画成される収容凹部２６とを具備する。前壁２４には、回転伝動部材２１の前端部を前方へ露出させつつ、これを軸周り回転自在に保持する円形の前方開口部２７と、磁石支持部材２９が係合する矩形の前方係合開口２８が形成される。側壁２５には、マイクロスイッチ１８の端子４７を外方へ突出させる開放部４８が形成される。
【００１６】
最前列のスイッチボックス組立体４ａのケーシング本体２２は、その前壁２４を支持枠８の側壁１０の後端面に接合させて雌ねじ付きねじ３０により、支持枠８に固定される。次列以降のスイッチボックス組立体４ｂ、４ｃ・・・は、それぞれその前壁２４を前方の他のスイッチボックス組立体４の蓋体２３の後端面に接合させて、雌ねじ付きねじ３０により蓋体２３と共に相互に固定される。
【００１７】
概略矩形板状の蓋体２３は、ケーシング本体２２の側壁２５の後端面に接合されて収容凹部２６を閉じる。蓋体２３は、円形の後方開口部３１と、矩形の後方係合開口３２とを具備する。後方開口部３１は、前方開口部２７と対向し、回転伝動部材２１の後端部を後方へ露出させつつ、これを軸周り回転自在に保持する。後方係合開口３２は、前方係合開口２８と対向し、磁石支持部材２９の後部を軸周り相対回転自在に保持する。
【００１８】
スイッチ操作機構２０は、操作磁石３３と駆動磁石３４とを具備する。操作磁石３３は、マイクロスイッチ１８のアクチュエータ１９に隣接して磁石支持部材２９によってケーシング１７に支持され、アクチュエータ１９を押圧する押圧位置と、これを自動復元させる解放位置との間を移動自在である。操作磁石３３は、円柱状で、その軸線を回転伝動部材２１の回転軸線に直交する方向（図において上下方向）に向けて円柱状の磁石ホルダ３５に保持される。操作磁石３３は、合成樹脂製の磁石ホルダ３５と共に、磁石支持部材２９の受け入れ凹部３６内に移動自在に嵌合される。磁石支持部材２９は、合成樹脂製で、直方体状の本体３７の前部に弾性係合片３８を具備する。弾性係合片３８は、ケーシング１７の前方係合開口２８にスナップ係合する。本体３７の後部は、ケーシング１７の後方係合開口３２に前後方向に嵌合する。受け入れ凹部３６は、本体３７の中央部に上方に開放するように形成される。
【００１９】
駆動磁石３４は、回転伝動部材２１に保持され、回転伝動部材２１が所定の回転角度位置にあるとき、操作磁石３３を磁気反発力で押圧位置へ移動させる。
【００２０】
回転伝動部材２１は、いずれも合成樹脂製の、前部材３９と、後部材４０と、両部材３９，４０に前後方向に分離自在に嵌合してこれらを結合する結合部材４１とを具備する。
【００２１】
前部材３９の前部には、ケーシング本体２２の前方開口部２７に軸周り相対回転自在に嵌合する前部円形凸部４２と、それの前部の前部嵌合凸部４３が形成される。前部嵌合凸部４３は、回転駆動部材９の後部嵌合凹部１５に相対回転不能に前後方向に嵌合する。
【００２２】
後部材４０の後部には、蓋体２３の後方開口部３１に軸周り相対回転自在に嵌合する後部円形凸部４４と、後方に開放する断面矩形の後部嵌合凹部４５が形成される。後部嵌合凹部４５は、後方に隣接する他のスイッチボックス組立体４の回転伝動部材１７の前部嵌合凸部４４３と、相対回転不能、分離自在に嵌合する。
【００２３】
前部材３９と後部材４０には、互いに前後に接合されたときに協働して駆動磁石３４を保持する保持凹部４６が形成される。保持凹部４６は、９０°毎の４つの回転角度位置に形成され、選択的に駆動磁石３４を保持する。駆動磁石３４が操作磁石３３と対面したとき、操作磁石３３が押圧位置へ移動してアクチュエータ１９を押圧する。スイッチボックス組立体４毎に、駆動磁石３４の保持位置を変更することにより、複数のマイクロスイッチ１８を選択的にオン又はオフ操作することができる。
【００２４】
スイッチボックス組立体４は、所望の数を容易に後方へ積層して接続することができる。
【符号の説明】
【００２５】
１      キースイッチ装置
２      シリンダ錠
３      支持部材
４      スイッチボックス組立体
５      錠ケース
６      ロータ
６ａ    鍵孔
６ｂ    角軸部
７      ストッパ兼用ねじ
８      支持枠
９      回転駆動部材
１０    前壁
１１    側壁
１２    受け凹部
１３    開口部
１４    前部嵌合凹部
１５    後部嵌合凹部
１６    翼部
１７    ケーシング
１８    マイクロスイッチ
１９    アクチュエータ
２０    スイッチ操作機構
２１    回転伝動部材
２２    ケーシング本体
２３    蓋体
２４    前壁
２５    側壁
２６    収容凹部
２７    前方開口部
２８    前方係合開口
２９    磁石支持部材
３０    雌ねじ付きねじ
３１    後方開口部
３２    後方係合開口
３３    操作磁石
３４    駆動磁石
３５    磁石ホルダ
３６    受け入れ凹部
３７    本体
３８    弾性係合片
３９    前部材
４０    後部材
４１    結合部材
４２    前部円形突部
４３    前部嵌合凸部
４４    後部円形凸部
４５    前部嵌合凹部
４６    保持凹部
４７    端子
４８    開放部
【要約】
【課題】鍵をシリンダ錠のロータに挿入して、回す操作で複数のマイクロスイッチを選択的にオン又はオフ操作できるキースイッチ装置を提供する。
【解決手段】キースイッチ装置１は、シリンダ錠２と、その後部に固定される支持部材３と、その後部に、前後方向に積層して結合される複数のスイッチボックス組立体４とを具備する。鍵でシリンダ錠２のロータ６が回されると、回転駆動部材９、回転伝動部材２１を経て、後方の回転伝動部材２１に順次伝動される。回転伝動部材２１が回転して駆動磁石３４が操作磁石３３と対面したとき、操作磁石３３が押圧位置へ移動してアクチュエータ１９を押圧する。スイッチボックス組立体４毎に、駆動磁石３４の保持位置を変更することにより、複数のマイクロスイッチ１８を選択的にオン又はオフ操作する。
【選択図】図１【図１】
0005816735.tif 000002
【図２】
0005816735.tif 000003
【図３】
0005816735.tif 000004
【図４】
0005816735.tif 000005
【図５】
0005816735.tif 000006
【図６】
0005816735.tif 000007
【図７】
0005816735.tif 000008